(57)【要約】【課題】カラービットのような光学式認識コードの読取装置を大型化させないようにする。【解決手段】社員のスケジュール一覧表等を表示するスケジュール板８を有する読取装置１において、スケジュール板８を透明材料で構成するとともに、人が認識できる情報を表面に表示し、かつ、その表面の情報に対応するカラービットを裏面に表示した複数の表示板２をスケジュール板８に貼り付け、表示板２の裏面のカラービットＣをスケジュール板８の裏面側に設置されたカメラ１５により撮影するようにした。読取装置１の室内には、スケジュール板８の裏面に向かい合うように鏡１７が設置されている。カメラ１５は、その鏡１７に写された複数の表示板２の裏面のカラービットＣを一括して撮影するようになっている。【選択図】図８
2016018544.tif 000002
【特許請求の範囲】
【請求項１】
視認性の有る情報が示された第１の面を有するとともに、前記第１の面の裏側であって光学式認識コードが示された第２の面を有する複数の表示板と、
前記複数の表示板を、その第１の面を表に向けた状態で並べることで表示面を形成することが可能なように前記複数の表示板を着脱自在に保持する保持体と、
前記保持体の前記表示面の裏側において、前記複数の表示板の前記第２の面を写すように配置された鏡体と、
前記保持体の前記表示面の裏側において、前記複数の表示板の前記第２の面の前記光学式認識コードを、前記鏡体を介して撮影する撮影手段と、
を備えることを特徴とする読取装置。
【請求項２】
前記撮影手段が、ウェブカメラであることを特徴とする請求項１記載の読取装置。
【請求項３】
前記撮影手段は、前記保持体の前記表示面側から着脱自在の状態で設置されていることを特徴とする請求項１または２記載の読取装置。
【請求項４】
前記撮影手段は、撮影角度を調整可能な状態で設置されていることを特徴とする請求項１、２または３記載の読取装置。
【請求項５】
前記保持体の前記表示面の裏側に、前記光学式認識コードに対する照明用の発光手段を設けたことを特徴とする請求項１〜４のいずれか１項に記載の読取装置。
【請求項６】
前記光学式認識コードが、異なる色同士が隣接した状態で並んで配置された複数のセルを有することを特徴とする請求項１〜５のいずれか１項に記載の読取装置。
【発明の詳細な説明】
【技術分野】
【０００１】
本発明は、読取装置に関し、例えば、カラービット（登録商標）のような光学式認識コードの読取装置に関するものである。
【背景技術】
【０００２】
カラービットは、赤、青、緑の色を使ってデータを表したコードである。カラービットは、赤、青、緑の色の繋がりで表現されており、連続したセルの色の並びを自動認識することが可能になっている。カラービットにおいては、隣接する色の変化で、「１」、「０」のビットが表現されている。例えば、色が、赤青、青緑または緑赤の各々の順で変化しているところで「１」を表し、赤緑、緑青または青赤の各々の順で変化しているところで「０」を表している。
【０００３】
カラービットの読み取りにおいては、カメラの画像が使用され、取得された画像が認識用ソフトウェアによりＩＤ（ｉｄｅｎｔｉｆｉｃａｔｉｏｎ）コード等に変換される。カメラは、例えば、デジタルカメラ、ウェブカメラまたは携帯電話やパソコン用のカメラを使用することができる。また、画像は、例えば、静止画、動画またはリアルタイム映像のいずれの画像においても認識することができる。
【０００４】
カラービットを用いた場合、画像内の複数のカラービットを一括して読み取る（解析する）ことができる。また、読めないコードは画像を確認することにより判断することができる。また、読み取ったカラービットから、各コードの位置や順番を判断することができる。さらに、画面を見ながら探したいコードを簡単に探し出すことができる。
【０００５】
なお、画像の読取技術については、例えば、特許文献１に記載があり、ボート上の情報を自走しながら読み取る読取ユニットを備えた電子黒板について開示されている。
【先行技術文献】
【特許文献】
【０００６】
【特許文献１】特開２０００−２３６４２０号公報
【発明の概要】
【発明が解決しようとする課題】
【０００７】
ところが、複数のカラービットを読み取る場合には、そのカラービットが貼り付けられた表示面の向かい側にカメラを設置しそのカメラで表示面を撮影しているので、場所をとってしまう、という課題がある。また、カメラを固定設置した場合には、表示面形成用のボードを移動することができなくなる、という課題がある。
【０００８】
本発明は、上述の技術的背景からなされたものであって、その目的は、カラービットのような光学式認識コードの読取装置を大型化させないようにすることを目的とする。また、本発明の他の目的は、設置位置を変更する場合も移動作業を容易にできるようにした読取装置を提供することを目的とする。
【課題を解決するための手段】
【０００９】
上記課題を解決するため、請求項１に記載の本発明の読取装置は、視認性の有る情報が示された第１の面を有するとともに、前記第１の面の裏側であって光学式認識コードが示された第２の面を有する複数の表示板と、前記複数の表示板を、その第１の面を表に向けた状態で並べることで表示面を形成することが可能なように前記複数の表示板を着脱自在に保持する保持体と、前記保持体の前記表示面の裏側において、前記複数の表示板の前記第２の面を写すように配置された鏡体と、前記保持体の前記表示面の裏側において、前記複数の表示板の前記第２の面の前記光学式認識コードを、前記鏡体を介して撮影する撮影手段と、を備えることを特徴とする。
また、請求項２に記載の本発明は、請求項１記載の読取装置において、前記撮影手段が、ウェブカメラであることを特徴とする。
また、請求項３に記載の本発明は、請求項１または２記載の読取装置において、前記撮影手段は、前記保持体の前記表示面側から着脱自在の状態で設置されていることを特徴とする。
また、請求項４に記載の本発明は、請求項１、２または３記載の読取装置において、前記撮影手段は、撮影角度を調整可能な状態で設置されていることを特徴とする。
また、請求項５に記載の本発明は、請求項１〜４のいずれか１項に記載の読取装置において、前記保持体の前記表示面の裏側に、前記光学式認識コードに対する照明用の発光手段を設けたことを特徴とする。
また、請求項６に記載の本発明は、請求項１〜５のいずれか１項に記載の読取装置において、前記光学式認識コードが、異なる色同士が隣接した状態で並んで配置された複数のセルを有することを特徴とする。
【発明の効果】
【００１０】
請求項１記載の発明によれば、読取装置と撮影手段とを一体的にしたことにより、カラービットのような光学式認識コードの読取装置を大型化させないようにすることが可能になる。また、読取装置の設置位置を変更する場合も読取装置の移動作業を容易することが可能になる。
請求項２記載の発明によれば、複数枚の表示板の裏面のカラービットを予め決められた時間毎に撮影することが可能になる。
請求項３記載の発明によれば、撮影手段の点検、修理および交換等を容易にすることが可能になる。
請求項４記載の発明によれば、撮影手段の撮影角度を撮影に適切な角度に調整することが可能になる。
請求項５記載の発明によれば、複数枚の表示板の裏面の光学式認識コードを良好に撮影することが可能になる。
【図面の簡単な説明】
【００１１】
【図１】本発明の一実施の形態に係る読取装置の斜視図である。
【図２】図１の読取装置の正面図である。
【図３】図１の読取装置の本体部を構成するスケジュール板の要部平面図である。
【図４】図３のスケジュール板を裏側から見た要部平面図である。
【図５】（ａ）は表示板の表面の平面図、（ｂ）は図５（ａ）の表示板の裏面の平面図である。
【図６】（ａ）はカラービットの原理を説明するための色関係図、（ｂ）はカラービット生成イメージの説明図である。
【図７】図１の読取装置の本体部を構成するスケジュール板の正面図である。
【図８】図７のＩ−Ｉ線の断面図である。
【図９】図８のカメラおよびその周辺部の一部破断して示した要部拡大断面図である。
【図１０】図９のカメラおよびその周辺部の要部拡大断面図である。
【図１１】（ａ）は図１の読取装置とパーソナルコンピュータとを有する読取システムの構成例を示す斜視図、（ｂ）は図１１（ａ）のパーソナルコンピュータの表示画面の拡大平面図である。
【発明を実施するための形態】
【００１２】
以下、本発明の一例としての実施の形態について、図面に基づいて詳細に説明する。なお、実施の形態を説明するための図面において、同一の構成要素には原則として同一の符号を付し、その繰り返しの説明は省略する。
【００１３】
図１は本発明の実施の形態に係る読取装置の斜視図、図２は図１の読取装置の正面図である。
【００１４】
本実施の形態の読取装置１は、例えば、社員のスケジュール表を構成する複数枚の表示板２の各々の裏面に示されたカラービット(光学式認識コード)を一括して読み取ることが可能な一括式読取装置であり、一対の脚部３，３と、その一対の脚部３，３により支持された本体部４とを備えている。なお、特に限定されるものではないが、読取装置１の脚部３を含む高さは、例えば、１ｍ６０ｃｍ程度、横幅は、例えば１ｍ３３ｃｍ程度である。
【００１５】
一対の脚部３，３は、例えば、２本の縦枠体５ａ，５ａと、その２本の縦枠体５ａ，５ａを支持する１本の支持体６とをそれぞれ備えている。縦枠体５ａおよび支持体６は、例えば、鋼材により形成されている。各支持体６において長手方向の両端近傍の底部には、読取装置１を容易に移動することが可能なようにキャスタ７，７が装着されている。
【００１６】
本体部４は、例えば、薄い矩形箱状に形成されており、その外周縁に設けられた縦枠体５ａおよび横枠体５ｂと、本体部４の外周面に設けられたスケジュール板（保持体）８、天井板９、側面板１０，１０および背面板（図１および図２には図示せず）とを備えている。なお、天井板９、側面板１０および背面板は、例えば、鋼製または樹脂製の薄板により形成されている。
【００１７】
縦枠体５ａおよび横枠体５ｂは、スケジュール板８、天井板９、側面板１０，１０および背面板を支持する部材である。本体部４の縦枠体５ａは、上記一対の脚部３，３の縦枠体５ａの一部が延延することで形成されている。また、横枠体５ｂは、例えば、鋼材により形成されており、読取装置１の上部および下部において、読取装置１の幅方向および厚さ方向に隣接する縦枠体５ａを橋渡すように設けられている。
【００１８】
スケジュール板８は、スケジュール表の表示面を形成する部分である。スケジュール板８は、例えば、平面長方形状の透明なアクリル板により形成されており、その高さ方向の寸法は、特に限定されるものではないが、例えば、１ｍ２０ｃｍ程度である。なお、ここで言う透明とは、スケジュール板８の裏側（読取装置１の室内）を視認可能であることを指し、無着色な部材であることを示している。
【００１９】
スケジュール板８の表面（正面）において高さ方向の中段には、スケジュール板８の長辺に沿って帯状に延びる化粧板１２がネジ１３により着脱自在の状態で装着されている。化粧板１２は、例えば、スケジュール板８と同様に透明なアクリル板により形成されているが、スケジュール板８とは別体に形成されている。
【００２０】
また、スケジュール板８の表面には、例えば、社員のスケジュールの一覧表を形成するための複数の縦ラインＬ１および横ラインＬ２が格子を形成するように表示されている。縦ラインＬ１は、例えば、時刻を規定するラインであり、スケジュール板８の長辺（横方向）に沿って所定の間隔毎に示されている。横ラインＬ２は、例えば、社員のエリアを規定するラインであり、スケジュール板８の短辺（高さ方向）に沿って所定の間隔毎に示されている。
【００２１】
また、図１に示すように、スケジュール板８の表面には、上記した複数の表示板２（２ａ〜２ｃ）が、例えば、磁力や貼付部材あるいは取付金具により着脱自在の状態で貼り付けられている。表示板２は、例えば、薄板状の樹脂、ゴム、紙または金属により形成されている。スケジュール板８の表面において最も左側の列には、例えば、社員の名前を示す表示板２ａが配置されている。また、スケジュール板８の表面において最上段、中段および最下段の行には、例えば、時刻を示す表示板２ｂが配置されている。さらに、スケジュール板８の表面において上記以外の行列のエリアには、例えば、社員の行動内容を示す表示板２ｃが配置されている。
【００２２】
次に、図３は図１の読取装置の本体部を構成するスケジュール板の要部平面図、図４は図３のスケジュール板を裏側から見た要部平面図、図５（ａ）は表示板の表面の平面図、図５（ｂ）は図５（ａ）の表示板の裏面の平面図、図６（ａ）はカラービットの原理を説明するための色関係図、図６（ｂ）はカラービット生成イメージの説明図である。
【００２３】
図３および図５（ａ）に示すように、表示板２の表面（第１の面）には、人により認識することが可能な情報が示されている。例えば、表示板２ａの表面には、「佐藤」、「山田」、「鈴木」等のような社員名が示されている。また、例えば、表示板２ｂの表面には、「９：００〜１０：００」等のような時刻が示されている。さらに、例えば、表示板２ｃの表面には、「打ち合わせ」、「外出」、「会議」等のような行動内容が示されている。
【００２４】
一方、図４および図５（ｂ）に示すように、表示板２の表面の裏側の裏面（第２の面）には、その表示板２の表面の情報を光学式識別コードで示したカラービットＣ等のような情報が示されている。カラービットＣは、赤、青、緑の色を使ってデータを表したコードであり、赤、青、緑に着色された複数のセルＣＣの集合体により形成されている。各カラービットＣの複数のセルＣＣは、異なる色のセルＣＣが互いに隣接した状態で連続して配置されている。
【００２５】
カラービットＣは、赤、青、緑の色の繋がりで表現されており、連続したセルＣＣの色の並びにより自動認識される。図６（ａ）に示すように、カラービットＣにおいては、隣接する色の変化で、「１」、「０」のビットが表現されている。例えば、色が、赤青、青緑または緑赤の各々の順で変化しているところで「１」を表し、赤緑、緑青または青赤の各々の順で変化しているところで「０」を表している。例えば、図６（ｂ）のカラービットＣのセルＣＣの配列例では、「１１０１１０」の２進数に変換される。なお、図５（ｂ）および図６の赤、青および緑は、それらの色に着色されていることを示している。
【００２６】
このようなカラービットＣを用いた場合、画像内の複数のカラービットＣを一括して読み取る（解析する）ことができる。また、読めないコードは画像を確認することにより判断することができる。また、読み取ったカラービットＣから、各コードの位置や順番を判断することができる。さらに、画面を見ながら探したいコードを簡単に探し出すことができる。
【００２７】
次に、図７は図１の読取装置の本体部を構成するスケジュール板の正面図、図８は図７のＩ−Ｉ線の断面図である。なお、図７においては図面を見易くするため縦ラインＬ１および横ラインＬ２を省略している。
【００２８】
読取装置１の中空部としての内部（スケジュール板８、天井板９、側面板１０，１０および背面板１１に囲まれた室内）には、小型のカメラ１５、光源１６および鏡（鏡体）１７が設置されている。
【００２９】
カメラ１５は、鏡１７に写った複数枚の表示板２の裏面のカラービットＣを一括して撮影する撮影手段である。本実施の形態の読取装置１を用いない場合、読取装置のスケジュール板の向かい側にカメラを設置しそのカメラでカラービットを撮影したり、人がカメラでカラービットを撮影したりするので、全体的に大型化して場所をとる、という課題がある。また、カメラを固定した場合には、ボードを他の場所に移動して使用することができなくなる、という課題もある。さらに、カメラが通行の邪魔になる上、人がボードの前を通る度に通行の邪魔にならないようにカメラを移動しなければならないので、その度にカメラの位置を設定し直さなければならず読み取り作業が煩雑になる、という課題もある。これに対して、本実施の形態においては、読取装置１とカメラ１５とを一体的にしたことにより、読取装置１の外部にカメラを設置するスペースを必要としないので、読取装置１を小型化することができる。特に、カメラ１５および鏡１７を読取装置１のスケジュール板８の裏側に設置したことにより、読取装置１の奥行き（裏側）を短くすることができるので、読取装置１をさらに小型化することができる。そして、読取装置１を小型化することができるので、狭い空間でも読取装置１を設置することができる。また、事務所内、工場内または物流倉庫内等、必要な場所に読取装置１を移動（変更）する場合もその移動作業を容易にすることができる。さらに、読取装置１とカメラ１５とを一体的にしたことにより、カメラ１５が通行の邪魔になることも無く、カメラ１５を定位置に固定しておくことができ、カメラ１５の位置を設定し直す必要も無いので、読み取り作業を簡易にすることができる。
【００３０】
このカメラ１５は、図７に示すように、スケジュール板８の高さ方向の中段に設置された化粧板１２の裏面に設置されている。スケジュール板８の表示面内は、例えば、４つエリアＡに等分されており、その各エリアＡに１台ずつ、合計４台のカメラ１５が設置されている。すなわち、本実施の形態においては、スケジュール板８の表示面の裏面全体（鏡１７の面内全体）のうち１／４の領域を各カメラ１５で撮影し、スケジュール板８の表示面の裏面全体（鏡１７の面内全体）を４台のカメラ１５で撮影することができる。また、カメラ１５は、その撮影向きが鏡１７に向かうように設置されている。すなわち、カメラ１５は、そのカメラの撮影レンズを鏡１７に向けた状態で設置されている。また、カメラ１５は、図８に示すように、スケジュール板８の裏面に対して斜めに設置されている。すなわち、カメラ１５は、その撮影角度が鏡１７の鏡面に対して垂直にならず斜めになるように設置されている。なお、カメラ１５の配置は上記したものに限定されるものではなく、光源１６や鏡１７の配置や種類等に応じて種々変更可能である。
【００３１】
また、カメラ１５としては、例えば、ウェブカメラが使用されている。ウェブカメラは、リアルタイムまたは一定時間毎に撮影した画像を後述のパーソナルコンピュータやサーバーに送信することが可能なカメラである。ただし、カメラ１５は、ウェブカメラに限定されるものではなく種々変更可能であり、例えば、デジタルカメラ、携帯電話用のカメラまたはパーソナルコンピュータ用のカメラを使用することができる。また、カメラ１５による画像の撮影は、一定時間毎に撮影することに限定されるものではなく、例えば、読取装置１に人感センサを設け、人が読取装置１から離れると、それを人感センサが検出し、カメラ１５が自動的に撮影を実行するようにしても良い。また、読取装置１のスケジュール板８に更新釦を設け、社員がスケジュール板８の更新釦を押すと、カメラ１５が自動的に撮影を実行するようにしても良い。
【００３２】
光源１６は、上記したカラービットＣの写真撮影に使用する照明であり、スケジュール板８の裏面において読取装置１の高さ方向の上下角部に設置されている。また、光源１６は、スケジュール板８の長辺に沿って設置されているとともに、その発光側を鏡１７側に向けた状態で、スケジュール板８の裏面に対して斜めに設置されている。すなわち、光源１６は、光の放射角度が鏡１７の鏡面に対して垂直にならず斜めになるように設置されている。なお、光源１６の配置は上記したものに限定されるものではなく、カメラ１５や鏡１７の配置や種類等に応じて種々変更可能である。
【００３３】
また、光源１６としては、例えば、蛍光灯やＬＥＤ（Ｌｉｇｈｔ  Ｅｍｉｔｔｉｎｇ  Ｄｉｏｄｅ）が使用されている。ここでは、光源１６が常に点灯しているが、これに限定されるものではなく、例えば、光源１６としてＬＥＤやキセノンガスを用いた小型フラッシュを使用することにより、写真撮影時のみ光源１６を発光させるようにしても良い。
【００３４】
鏡１７は、その鏡面をスケジュール板８の裏面に向けた状態で背面板１１の裏面内全面にわたって設置されている。上記したようにスケジュール板８は、透明材料により形成されているので、スケジュール板８に貼られた複数枚の表示板２の裏面のカラービットＣがスケジュール板８を介して鏡１７に写るようになっている。そして、その鏡１７に写された複数枚の表示板２の裏面のカラービットＣをカメラ１５により撮影するようになっている。このような鏡１７を用いた構成にすることにより、鏡１７を用いない場合に比べて、読取装置１の厚さ（奥行き）を薄くすることができるので、読取装置１を小型化することができる。なお、読取装置１の厚さは、特に限定されるものではないが、例えば、３０ｃｍ程度である。
【００３５】
次に、図９は図８のカメラおよびその周辺部の一部破断して示した要部拡大断面図、図１０は図９のカメラおよびその周辺部の要部拡大断面図である。
【００３６】
スケジュール板８の高さ方向中段の化粧板１２の裏面においてカメラ１５の配置領域には、カメラゾーン金具２０（図９参照）とカメラ取付板２１とがボルト２２（図９参照）により化粧板１２に固定されている。
【００３７】
カメラ取付板２１は、化粧板１２の裏面に沿う平板部２１ａと、その高さ方向のほぼ中央位置から読取装置１の室内の方向に向かって延びる平板部２１ｂとを有している。このカメラ取付板２１の平板部２１ｂの先端には、ヒンジ部２３を介して上下のカメラ取付板２４ａ，２４ｂが係合されている。このヒンジ部２３により、カメラ取付板２４ａ，２４ｂの傾斜角度を変えることが可能になっている。
【００３８】
カメラ取付板２４ａ，２４ｂは、例えば、平板状に形成されており、そのカメラ搭載面には、上記カメラ１５が搭載されている。各カメラ取付板２４ａ，２４ｂの先端（自由端）にはボルト２５（図９参照）が係合されている。このボルト２５の頭部は、カメラ取付板２１、カメラゾーン金具２０を貫通する孔２６および化粧板１２を貫通する孔１２ａに挿入されており、化粧板１２の表面側から露出している。そして、このボルト２５の頭部をスケジュール板８の表面側から操作（押したり、引いたり）することにより、読取装置１の室内のカメラ取付板２４ａ，２４ｂの傾斜角度を調整し、カメラ１５の撮影角度θ（図１０参照）を調整することが可能になっている。
【００３９】
また、カメラ１５は、カメラゾーン金具２０およびカメラ取付板２１，２４ａ，２４ｂにより化粧板１２に固定されている。これにより、化粧板１２の取り付け取り外しによって、カメラ１５をカメラゾーン金具２０およびカメラ取付板２１，２４ａ，２４ｂごとスケジュール板８の表面側から取り付けたり取り外したりすることができるようになっている。すなわち、カメラ１５をスケジュール板８の表面側から着脱することができるので、カメラ１５の点検、修理あるいは交換を容易にすることができる。
【００４０】
次に、図１１（ａ）は図１の読取装置とパーソナルコンピュータとを有する読取システムの構成例を示す斜視図、図１１（ｂ）は図１１（ａ）のパーソナルコンピュータの表示画面の拡大平面図である。
【００４１】
図１１（ａ）に示すように、読取装置１のカメラ１５（図８〜図１０参照）は、配線２７を通じてノート型のパーソナルコンピュータ３０に電気的に接続されている。読取装置１のカメラ１５によって撮影された複数枚の表示板２の裏面の複数のカラービットＣの画像は、配線２７を通じてパーソナルコンピュータ３０に送信されるようになっている。ただし、カメラ１５とパーソナルコンピュータ３０とを無線により電気的に接続しても良い。
【００４２】
パーソナルコンピュータ３０においては、カメラ１５から送信されたカラービットＣの画像を認識用ソフトウェアにより解析し、その解析結果と、パーソナルコンピュータ３０のデータベースに予め格納されたデータとを照合することにより、その結果を人が認識できる状態に変換するようになっている。これにより、スケジュール管理者等が、パーソナルコンピュータ３０のスケジュール管理用のアプリケーションを開くと、図１１（ｂ）に示すように、パーソナルコンピュータ３０の表示画面３０ａに、人が認識することが可能な状態に変換されたデータが表示されるようになっている。その結果、スケジュール管理者等は、社員のスケジュールを簡単に確認することができる。
【００４３】
以上、本発明者によってなされた発明を実施の形態に基づき具体的に説明したが、本明細書で開示された実施の形態はすべての点で例示であって、開示された技術に限定されるものではない。すなわち、本発明の技術的な範囲は、前記の実施の形態における説明に基づいて制限的に解釈されるものでなく、あくまでも特許請求の範囲の記載に従って解釈されるべきであり、特許請求の範囲の記載技術と均等な技術および特許請求の範囲の要旨を逸脱しない限りにおけるすべての変更が含まれる。
【００４４】
例えば、前記実施の形態においては、社員のスケジュール等のような人間の行動管理に適用した場合について説明したが、これに限定されるものではなく、例えば、物流管理、書類管理、入退管理または薬品管理等のような種々の管理あるいは状態検査に適用できる。
【００４５】
また、前記実施の形態においては、読取装置のカメラをパーソナルコンピュータに電気的に接続した場合について説明したが、これに限定されるものではなく、例えば、カメラを有線または無線を通じてサーバーに接続することにより、複数の人がインターネット等を通じて社員のスケジュールを確認することができるようにしても良い。この場合、サーバーにおいては、読取装置のカメラから送信されたカラービットの画像を解析し、人が認識できる情報に変換してインターネット等にアップロードするようになっている。
【００４６】
また、前記実施の形態においては、読取装置のスケジュール板をアクリル板により形成した場合について説明したが、これに限定されるものではなく、例えば、複数枚の表示板を保持できるようにした枠体（保持体）により構成しても良い。また、視認性を有する情報としては、文字、記号や図形などである。
【産業上の利用可能性】
【００４７】
以上の説明では、本発明はカラービットのような光学式認識コードの読取装置に適用して有効である。
【符号の説明】
【００４８】
１  読取装置
２，２ａ〜２ｃ  表示板
３  脚部
４  本体部
５ａ  縦枠体
５ｂ  横枠体
６  支持体
８  スケジュール板
９  天井板
１０  側面板
１１  背面板
１２  化粧板
１５  カメラ
１６  光源
１７  鏡
２１  カメラ取付板
２４ａ，２４ｂ  カメラ取付板
２５  ボルト
２６  孔
２７  配線
３０  パーソナルコンピュータ
Ｃ  カラービット
ＣＣ  セル
Ｌ１  縦ライン
Ｌ２  横ライン
【図１】
2016018544.tif 000003
【図２】
2016018544.tif 000004
【図３】
2016018544.tif 000005
【図４】
2016018544.tif 000006
【図５】
2016018544.tif 000007
【図６】
2016018544.tif 000008
【図７】
2016018544.tif 000009
【図８】
2016018544.tif 000010
【図９】
2016018544.tif 000011
【図１０】
2016018544.tif 000012
【図１１】
2016018544.tif 000013